(57)【要約】 【課題】  分岐された複数の電線を電柱に設けられた腕部材に沿わせて支持する際に、その支持状態を容易、的確且つ安定して行うことのできる分岐電線支持補助具を得ること。【解決手段】  電柱５０に固定された腕部材２００に係止固定するための係止部１２と、その係止状態で、分岐電線１００をそれぞれ個別に簡易保持する電線保持部と、を有し、電線保持部は、分離された開放端部１４を有する１対の弾性変形可能な突出部材１４で構成され、係止固定状態では開放端部１４ａが下方に向けて開放された状態となる一対の突出部材を少なくとも分岐電線の数に対応する複数有し、常態では開放端部１４ａの開放間隔は分岐電線の外径よりも小さいが、弾性変形させることで拡大可能であり、更に、突出部材１４は、開放間隔を拡大させた状態で受け入れた電線を常態時に保持可能な拡張部を有する。【選択図】  図１
2010252483.tif 000002
【特許請求の範囲】
【請求項１】
架空電線から分岐された複数の電線を電柱に略水平に設けられた腕部材に沿わせて支持させるために用いられる分岐電線支持補助具において、
前記腕部材に係止固定するための係止部と、
該係止部による係止状態で、前記分岐された複数の電線をそれぞれ個別に簡易保持する電線保持部と、を有し、
前記電線保持部は、
分離された開放端部を有し前記係止固定状態では前記開放端部が下方に向けて開放された状態となる１対の弾性変形可能な突出部材を少なくとも分岐電線の数に対応する複数個有し、
常態では前記開放端部の開放間隔は保持対象の電線の外径よりも小さいが、前記弾性変形させることで前記開放間隔は拡大可能に構成され、
前記各１対の突出部材は、前記開放間隔を拡大させた状態で受け入れた前記電線を前記常態時に保持可能な拡張部を有することを特徴とする分岐電線支持補助具。
【請求項２】
前記拡張部は、
前記１対の突出部材に互いに凹側が対向するように略円弧状の湾曲部を設けて構成されたことを特徴とする請求項１に係る分岐電線支持補助具。
【請求項３】
前記各１対の突出部材の拡張部は、
前記略円弧状の湾曲部分が連続してそれぞれ２個ずつ形成され、それぞれの湾曲部分で個別に前記電線を保持する様にしたことを特徴とする請求項２に係る分岐電線支持補助具。
【請求項４】
前記１対の突出部材は、４個並列に隣接配置されたことを特徴とする請求項３に記載の分岐電線支持補助具。
【請求項５】
前記係止部は、
前記腕部材の幅長よりも広い間隔をもって対向配置された１対の対向片のそれぞれの一方の端部寄りに位置に設けられた爪部と、該爪部より更に一方の端部側に設けられ前記一対の対向片を連結する結合手段と、を有し、且つ前記対向片の他方の端部は底部によってつながれ、
前記電線保持部は、
前記底部の下面側に設けられたことを特徴とする請求項１から４の何れか１項に記載の分岐電線支持補助具。
【発明の詳細な説明】
【技術分野】
【０００１】
本発明は、分岐電線支持具、特に、架空電線から電線を分岐させる構造において分岐線を支持構造体にて支持させるために用いられる分岐電線支持補助具に関するものである。
【背景技術】
【０００２】
一般家庭などの電気使用者への電力の供給は、いわゆる電柱等の支持構造体で支持された架空電線から低電圧分岐線として分岐されて引き込まれることで行われている。この分岐は、電柱間に架設された電線から分岐した電線を電柱に略水平に固定された引き込み専用腕金に一旦装着させて、所望の方向に引き回されている。
【０００３】
図５は、この様な電柱における分岐構造の一例を示している。図示のように、電柱５０には一般の家庭などに電力を供給するための通常の３相交流電線５２−１、５２−２、５２−３が張架されている。そして、電柱５０の近傍位置でそれぞれ分岐され下方に低圧引き下げ線（低圧分岐線）１００−１，１００−２，１００−３として引き下げられている。この様な分岐線は、一般にＣＶ電線と称されている架橋ポリエチレン絶縁ビニルシースケーブルであり、その太さは、２２ｍｍや６０ｍｍなど種々のものが使用されている。
【０００４】
また、電柱５０には、引込専用腕金２００が固定取り付けされている。この引込専用腕金２００は約１ｍ程度の長さを有し、上記低圧分岐線１００−１，１００−２，１００−３はこの引込専用腕金２００に沿って導かれ、引込専用腕金２００の両端側からそれぞれ引き込み線３００として利用者側へ導かれている。
【０００５】
低圧分岐線１００の引込専用腕金２００への装着は、複数の分岐線１００を束ねた状態で引込専用腕金２００に沿わせて行われ、所定箇所でバインド線４００を用いて行われている。すなわち、束ねた複数の分岐線１００と引込専用腕金２００とを共にバインド線４００を複数回巻回することで縛った状態として行われている。このバインド線４００は、例えば、銅線にビニール等の被覆を施したものが用いられ、約１．６ｍｍ程度の径を有している。そして、引込専用腕金２００の１箇所または複数箇所でこのバインド線４００の巻回取り付けが行われている。
【０００６】
なお、電柱に架線された電線からの一般家庭等への分岐のための構造について、種々の提案がなされており、例えば、特許文献１では、架空された光ファイバーケーブルを各家庭に引き込むための高所作業を初めの１回だけにすることのできる加入者引込み線引き込み方法が開示されている。すなわち、架空ケーブルを初めの１回の高所作業で電柱上部において分岐させ、この分岐させた加入者引込み用ケーブルを引き降ろし、電柱の地上付近に設置した配線接続函に接続する様にしている。そして、配線接続函の下部からは加入者引込み線を導出し、テンションメンバに巻き付け、このテンションメンバの中間部に引き留め具を取り付けた後、この引き留め具側を電柱上部に固定した部材により押し上げて、種々の部材を用いて引っ掛けている。
【０００７】
こうして電柱上部に引き留めた加入者引込み線をそこから近辺の加入者宅まで引き込むものであり、一回目のケーブル分岐作業だけを高所にて行った後の増設作業時等における加入者引込み線接続作業は、竿を用いて地上から行うことができる様にしたものである。
【先行技術文献】
【特許文献】
【０００８】
【特許文献１】特許公開２０００−９２６３７
【発明の概要】
【発明が解決しようとする課題】
【０００９】
上述のように、電柱に固定された腕部材である分岐専用腕金に複数の電線をまとめて沿わせるように設置する作業は、まず、複数の電線を的確にまとめなければならず、且つバインド線でその複数の電線と分岐専用腕金を縛る作業は、高所における作業となり、容易ではない。また、電線の数、すなわち、架空電線から分岐された低電圧の引き込み線は、通常、接地線の２本を含めて最大８本になることがあり、作業者の熟練度によって上記分岐のための作業の品質や作業時間などには差が生じる恐れがある。また、バインド線によるバインド後、束ねた分岐線を識別する必要が有る場合に、まとめられて縛られていることからその識別がしにくいという事情もある。
【００１０】
なお、上記特許文献１をはじめ、電線の分岐（引き込み）構造に関する提案は種々なされているが、この腕部材に分岐電線を如何に容易に沿わせて支持させるかについての提案はなされていない。
【００１１】
本発明は、上記事情に鑑みてなされたものであり、その目的は、分岐された複数の電線を電柱に設けられた腕部材に沿わせて配線する際に、容易且つ的確に腕部材による支持状態を形成することのできる分岐電線支持補助具を提供することにある。
【課題を解決するための手段】
【００１２】
上記目的を達成するため、請求項１に係る分岐電線支持補助具は、
架空電線から分岐された複数の電線を電柱に略水平に設けられた腕部材に沿わせて支持させるために用いられる分岐電線支持補助具において、
前記腕部材に係止固定するための係止部と、該係止部による係止状態で、前記分岐された複数の電線をそれぞれ個別に簡易保持する電線保持部と、を有し、前記電線保持部は、分離された開放端部を有し前記係止固定状態では前記開放端部が下方に向けて開放された状態となる１対の弾性変形可能な突出部材を少なくとも分岐電線の数に対応する複数個有し、常態では前記開放端部の開放間隔は保持対象の電線の外径よりも小さいが、前記弾性変形させることで前記開放間隔は拡大可能とされ、前記各１対の突出部材は、前記開放間隔を拡大させた状態で受け入れた前記電線を前記常態時に保持可能な拡張部を有することを特徴とする。
【００１３】
上記構成の分岐電線支持補助具によれば、引き込み線などの分岐された複数の電線を腕部材の下方側から簡単にそれぞれに対応する１対の突出部材によって保持させることができる。すなわち、分岐電線支持補助具が係止部によって、腕部材に係止固定された状態では、一対の突出部材の開放端部は、下方側に向かって開放されており、作業者は、その開放間隔を拡げるように突出部材を変形させ、拡げた開放端部から分岐電線を拡張部の部分にはめ込むことができる。そして、突出部材を常態に戻す（手を離して弾性変形状態を解く）ことで開放端部の開放間隔は元の狭い幅に戻り、電線は簡易に保持された状態となる。
【００１４】
この様に、分岐電線支持補助具を取り付けておくことで、部材の巻回作業や締結作業などの煩雑な作業を行うことなく、簡単且つ迅速に複数の分岐電線の腕部材に沿わせた設置が可能となる。また、各分岐電線は、それぞれの一対の突出部材の拡張部に別個に保持された状態となるので、事後的な電線の識別も容易に行うことが可能である。
【００１５】
請求項２に係る分岐電線支持補助具は、請求項１に記載の分岐電線支持補助具において、
前記拡張部は、前記１対の突出部材に互いに凹側が対向するように略円弧状の湾曲部を設けて構成されている。この構成によれば、一対の突出部材が常態にあるときに開放端部の開放間隔は、分岐電線の外径よりも狭い状態に戻るが、その状態で拡張部において分岐電線を保持することのできる空間を確保しておくことが可能である。したがって、湾曲構造という簡単な構成によって一対の突出部材による電線保持部分の形成が可能となっている。
【００１６】
請求項３に係る分岐電線支持補助具は、請求項２に記載の分岐電線支持補助具において、前記各一対の突出部材の前記拡張部は、前記略円弧状の湾曲部分が連続してそれぞれ２個ずつ形成され、それぞれの湾曲部分で個別に前記電線を保持する様にしたことを特徴とする。この構成によれば、各一対の突出部材によって、それぞれ、２本ずつの分岐電線の保持が可能となっている。すなわち、突出部材の開放端部を拡げて、奥側の拡張部にまず１本目の分岐電線を押し入れ、その状態で更に、手前（開放端部寄り）の拡張部に２本目の分岐電線を保持させることが可能である。これにより、設置スペースの大型化を回避しつつ多数の電線の保持が可能となる。
【００１７】
請求項４に係る分岐電線支持補助具は、請求項３に記載の分岐電線支持補助具において、前記１対の突出部材が、４個並列に隣接配置されたことを特徴とする。この構成によれば、通常の低圧分岐電線の分岐に最大必要な８個の拡張部を確保することができ、上下に２本ずつの４列、合計８本の分岐電線の整列した保持が可能となる。
【００１８】
請求項５に係る分岐電線支持補助具は、請求項１から４の何れか１項に記載の分岐電線支持補助具において、
前記係止部が、前記腕部材の幅長よりも広い間隔をもって対向配置された１対の対向片のそれぞれの一方の端部寄りに位置に設けられた爪部と、該爪部より更に一方の端部側に設けられ前記一対の対向片を連結する結合手段と、を有し、且つ前記対向片の他方の端部は底部によってつながれ、前記電線保持部が、前記底部の下面側に設けられたことを特徴とする。
【００１９】
この構成に係る分岐電線支持補助具によれば、この分岐電線支持補助具を腕部材の下方側から上昇させ、１対の対向片の爪部を腕部材の両側面の上縁部に係止させることで、簡単に腕部材への係止状態を得ることができる。そして、対向片を結合手段によって連結することで簡単に分岐電線支持補助具を腕部材に固定することができる。すなわち、その結合状態が崩れない限り、分岐電線支持補助具は腕部材から落下することがない。
【発明の効果】
【００２０】
以上説明したように、本発明に係る分岐電線支持補助具によれば、引き込み線などの分岐された複数の電線を腕部材の下方側からの簡簡単な作業によって迅速に保持させることができる。すなわち、電線保持部を構成する各一対の突出部材の開放端をその開放間隔を拡げるよう弾性変形させ、対象電線をはめ込み、弾性変形状態を解除するだけで分岐電線の保持を完了させることができる。また、保持作業終了後においては、各分岐電線は、それぞれの１対の突出部材の拡張部に別個に整理されて保持された状態となるので、色の識別など種々の事後的な電線の識別も容易に行うことが可能である。
【図面の簡単な説明】
【００２１】
【図１】実施の形態に係る分岐電線支持補助具の構成説明図である。
【図２】図１に示した実施の形態に係る分岐電線支持補助具による電線保持の動作説明図である。
【図３】図１に示した実施の形態に係る分岐電線支持補助具の分岐専用腕金への係止固定構造の説明図である。
【図４】分岐専用腕金に係止固定された分岐電線支持補助具によって、複数の分岐電線が保持されている状態を示す説明図である。
【図５】分岐専用腕金への分岐電線の支持状態の従来構造を示す説明図である。
【発明を実施するための形態】
【００２２】
以下、図面に基づいて、本発明の実施の形態について詳細に説明する。図１は実施の形態に係る分岐電線支持補助具１０の構成を示している。図示のように、所定間隔をあけて対向配置された１対の対向片１２，１２を有しており、図における上端部寄り位置にはそれぞれ対向面側に突出する爪部１２ａ、１２ａを有している。そして、爪部１２ａより更に一方の端部より位置には、孔部１２ｂ、１２ｂがそれぞれ設けられている。そして、棒状に形成された結合用バー２０をこれら孔部１２ｂに挿通させ、この結合用バー２０の両端近傍に形成された小孔２０ａにピン２２、２２を挿通して取付けることで、一対の対向片１２，１２が連結結合される。
【００２３】
上述の対向配置された１対の対向片１２，１２の間隔は、後述する取付対象である腕金の幅よりもやや広い間隔とされており、この対向片１２，１２の間に腕金を挟むようにして下方から装着し、爪部１２ａ、１２ａを腕金の側面部の上端縁に係止させて簡単に係合させることができる。そして、対向片１２，１２を上記結合用バー２０によって連結することで簡単に分岐電線支持補助具１０を腕部材に固定することができる。そして、その取付状態は、結合用バー２０が外れない限り安定して固定状態が保たれる。
【００２４】
また、対向片１２，１２は、他端側で平板状の底部１３によってつながれており、この底部１３の図における下面側に電線保持部を構成する１対の突出部材が複数個設けられている。本実施の形態では、底部１３から取付状態における下方に突出する一対の突出部材１４として、弾性変形可能な材料で形成され、下端側が分離された開放端部１４ａとなっている。そして、開放端部１４ａの上部には、常態時に電線を保持可能な拡張部１４ｂが形成されている。
【００２５】
本実施の形態では、１対の突出部材１４に互いに凹側が対向するように略円弧状の湾曲部を設けることで形成されている。すなわち、この湾曲凹部で形成される空間にて分岐電線を保持できる様にしている。また、拡張部１４ｂは、図示のように、１対の突出部材１４に湾曲部分を連続してそれぞれ２個ずつ形成し、これを並列に４個（１４−１〜１４−４）隣接させて設けている。なお、本例では突出部材１４の長さ、すなわち、電線軸方向の保持長さは約５ｃｍとされている。
【００２６】
図２は、本実施の形態に係る分岐電線支持補助具１０への電線の保持動作を示す説明図である。図１で示したように、常態では電線保持部の開放端部１４ａの開放間隔は保持対象の電線の外径よりも小さくなっている。そして、この開放端部１４ａの開放間隔は、突出部材１４を弾性変形させることで拡げることが可能である。したがって、図２に示したように、この開放間隔を拡げることで、一対の突出部材１４の間に分岐電線１００をはめ込むことができる。
【００２７】
そして、本実施の形態では、まず、突出部材１４の開放端部１４ａを拡げて、奥側の拡張部１４ｂ内にまず１本目の分岐電線１００をはめ込み、その状態で更に、手前（開放端部１４ａ寄り）の拡張部１４ｂ内に２本目の分岐電線１００を保持させることが可能である。したがって、本実施の形態では、小スペースで合計８本の電線の保持を簡易且つ効率的に行うことができる。
【００２８】
なお、必要に応じて、分岐電線１００の保持後、突出部材１４の開放端部１４ａを塞ぐ作業を行うことも可能であるが、約１ｍ程度の腕金の間だけでの電線の保持であることから、上記実施の形態に係る突出部材１４の開放端部１４ａが保持している分岐電線１００に掛かる力によって開く恐れは通常ない。
【００２９】
次に、図３は、本実施の形態に係る分岐電線支持補助具１０を引込専用腕金２００に実際に取付ける状態についての説明図である。上述のように、引込専用腕金２００に対して分岐電線支持補助具１０を下方から係止装着するもので１対の対向片１２，１２の間に引込専用腕金２００を介在させるように設置し、爪部１２ａ、１２ａを引込専用腕金２００の両側面部の上端縁に係止させている。この状態で、対向片１２，１２の孔部１２ｂに結合用バー２０を挿通させ、更に結合用バー２０に形成した小孔２０ａ、２０ａにピン２２、２２を挿通して取り付ける。この簡単な動作により、分岐電線支持補助具１０は、引込専用腕金２００に安定して取り付けられる。
【００３０】
なお、図４は、上記実施の形態に係る分岐電線支持補助具１０が、引込専用腕金２００に取り付けられ、所定数の分岐電線１００が保持されている状況が示されている。図示のように、最大８本の分岐電線１００を整理して、並列状態で保持することができることから、全部の保持状態においても個々の分岐電線１００の区別（色彩の区別など）が容易であり、従来のように単に束ねた状態でバインド線により巻回保持する状況に比べ、必要な電線の識別作業の煩雑さが解消されている。そして、奥側に保持している分岐電線１００を取り外す必要が生じた場合でも従来のように全部の保持状態を解く必要はなく、１つの突出部材１４の手前側に保持された分岐電線１００のみを外すことでその作業を行うことができる。
【００３１】
なお、本発明は、上記各実施の形態の構成に限定されるものではなく、発明の要旨の範囲内で種々の変形が可能である。例えば、上記係止部の構成は、１対の対向片１２，１２とそれらに設けた爪部１２ａ、１２ａとしたが、これに限られず、電線保持部を腕金に安定して保持しておくことのできる構成で有れば、当業者が自明的に想起しうる種々の構成を取ることが可能であり、１対の対向片１２，１２ではなく、一方側からアーム状の腕金の上方から掛け、この引っかけ状態を脱落しないように規制することでも良い。
【００３２】
また、突出部材１４の構造及び取付個数については、８本用の例のみを示したが、電線数に応じて、拡張部１４ｂが１個ずつ形成されたものや、取付個数を少なくすることも可能である。また、分岐電線支持補助具１０自体の取付個数についても取付現場の状況に応じて１個、複数体を選択することが可能である。
【符号の説明】
【００３３】
１０  分岐電線支持補助具
１２  対向片
１２ａ  爪部
１２ｂ  孔部
１３  底部
１４  突出部材
１４ａ  開放端部
１４ｂ  拡張部
２０  結合用バー２０
２０ａ  小孔
【図１】
2010252483.tif 000003
【図２】
2010252483.tif 000004
【図３】
2010252483.tif 000005
【図４】
2010252483.tif 000006
【図５】
2010252483.tif 000007